(57)【要約】【課題】エレベーターの改修の途中において、エレベーターの一時的な運行を容易に設定することができるエレベーターの改修支援装置および改修方法を提供する。【解決手段】エレベーターの改修支援装置は、エレベーターにおいて、既設の制御ケーブルまたは既設の制御盤と新設の機器とを電気的に接続する変換器、を備えた。当該改修支援装置によれば、既設の制御ケーブルまたは既設の制御盤と新設の機器とは、変換器を介して一時的に電気的に接続される。このため、エレベーターの改修の途中において、エレベーターの一時的な運行を容易に設定することができる。【選択図】図２
2019147642.tif 000002
【特許請求の範囲】
【請求項１】
エレベーターにおいて、既設の制御ケーブルまたは既設の制御盤と新設の機器とを電気的に接続する変換器、
を備えたエレベーターの改修支援装置。
【請求項２】
前記変換器は、前記エレベーターのかごにおいて前記既設の制御ケーブルと新設の天井機器とを電気的に接続する請求項１に記載のエレベーターの改修支援装置。
【請求項３】
前記変換器は、前記エレベーターの機械室において前記既設の制御盤と新設のガバナースイッチとを電気的に接続する請求項１に記載のエレベーターの改修支援装置。
【請求項４】
前記変換器は、前記エレベーターの機械室において前記既設の制御盤と錠スイッチに接続された新設のハーネスケーブルとを電気的に接続する請求項１に記載のエレベーターの改修支援装置。
【請求項５】
前記エレベーターの機械室の電源と新設の機器とを電気的に接続する電源供給器、
を備えた請求項１から請求項４のいずれか１項に記載のエレベーターの改修支援装置。
【請求項６】
前記電源供給器は、前記エレベーターのかごにおいて前記機械室の電源と電気的に接続されたドラムと新設の天井機器を電気的に接続する請求項５に記載のエレベーターの改修支援装置。
【請求項７】
前記電源供給器は、前記機械室において電源とピット灯に接続された新設のハーネスケーブルとを電気的に接続する請求項５に記載のエレベーターの改修支援装置。
【請求項８】
前記エレベーターの機械室において電源と新設の制御ケーブルの一側とを電気的に接続する機械室側電源供給器と、
前記エレベーターのかごにおいて前記新設の制御ケーブルの他側と新設の天井機器とを電気的に接続するかご側電源供給器と、
を備えた請求項１から請求項４のいずれか１項に記載のエレベーターの改修支援装置。
【請求項９】
前記エレベーターの改修時において、前記エレベーターのかごの天井に設けられた新設のファンを遮蔽するファンカバー、
を備えた請求項１から請求項８のいずれか１項に記載のエレベーターの改修支援装置。
【請求項１０】
エレベーターにおいて、既設の制御ケーブルまたは既設の制御盤と新設の機器とを変換器を介して電気的に接続する新設機器仮設工程、
を備えたエレベーターの改修方法。
【請求項１１】
前記新設機器仮設工程は、
前記エレベーターのかごにおいて前記既設の制御ケーブルと新設の天井機器とを変換器を介して電気的に接続する天井機器仮設工程、
を含む請求項１０に記載のエレベーターの改修方法。
【請求項１２】
前記新設機器仮設工程は、
前記エレベーターの機械室において前記既設の制御盤と新設のガバナースイッチとを変換器を介して電気的に接続するガバナースイッチ仮設工程、
を含む請求項１０または請求項１１に記載のエレベーターの改修方法。
【請求項１３】
前記新設機器仮設工程は、
前記エレベーターの機械室において前記既設の制御盤と錠スイッチに接続された新設のハーネスケーブルとを変換器を介して電気的に接続する錠スイッチ仮設工程、
を含む請求項１０から請求項１２のいずれか１項に記載のエレベーターの改修方法。
【請求項１４】
前記エレベーターの機械室の電源と新設の機器とを電源供給器を介して電気的に接続する新設機器電源供給工程、
を備えた請求項１０から請求項１３のいずれか１項に記載のエレベーターの改修方法。
【請求項１５】
前記新設機器電源供給工程は、
前記エレベーターのかごにおいて前記機械室の電源と電気的に接続されたドラムと新設の天井機器とを電源供給器を介して電気的に接続する天井機器電源供給工程、
を含む請求項１４に記載のエレベーターの改修方法。
【請求項１６】
前記新設機器電源供給工程は、
前記機械室において電源とピット灯に接続された新設のハーネスケーブルとを電源供給器を介して電気的に接続するピット灯電源供給工程、
を含む請求項１４または請求項１５に記載のエレベーターの改修方法。
【請求項１７】
前記エレベーターの機械室において電源と新設の制御ケーブルの一側とを機械室側電源供給器を介して電気的に接続する機械室側電源供給工程と、
前記エレベーターのかごにおいて前記新設の制御ケーブルの他側と新設の天井機器とをかご側電源供給器を介して電気的に接続するかご側電源供給工程と、
を含む請求項１０から請求項１３のいずれか１項に記載のエレベーターの改修方法。
【請求項１８】
前記エレベーターの改修時において、前記エレベーターのかごの天井に設けられた新設のファンをファンカバーで遮蔽するファン遮蔽工程、
を備えた請求項１０から請求項１７のいずれか１項に記載のエレベーターの改修方法。
【発明の詳細な説明】
【技術分野】
【０００１】
この発明は、エレベーターの改修支援装置およびエレベーターの改修方法に関する。
【背景技術】
【０００２】
特許文献１は、エレベーターの改修方法を開示する。当該改修方法によれば、エレベーターの改修の途中において、エレベーターを一時的に運行することができる。
【先行技術文献】
【特許文献】
【０００３】
【特許文献１】特開２００６−２０６１９６号公報
【発明の概要】
【発明が解決しようとする課題】
【０００４】
しかしながら、特許文献１に記載の改修方法においては、既設の制御盤と新設の機器とを一時的に接続する必要がある。このため、既設の制御盤と新設の機器との接続に苦慮することもある。
【０００５】
この発明は、上述の課題を解決するためになされた。この発明の目的は、エレベーターの改修の途中において、エレベーターの一時的な運行を容易に設定することができるエレベーターの改修支援装置および改修方法を提供することである。
【課題を解決するための手段】
【０００６】
この発明に係るエレベーターの改修支援装置は、エレベーターにおいて、既設の制御ケーブルまたは既設の制御盤と新設の機器とを電気的に接続する変換器、を備えた。
【０００７】
この発明に係るエレベーターの改修方法は、エレベーターにおいて、既設の制御ケーブルまたは既設の制御盤と新設の機器とを変換器を介して電気的に接続する新設機器仮設工程、を備えた。
【発明の効果】
【０００８】
これらの発明によれば、既設の制御ケーブルまたは既設の制御盤と新設の機器とは、変換器を介して一時的に電気的に接続される。このため、エレベーターの改修の途中において、エレベーターの一時的な運行を容易に設定することができる。
【図面の簡単な説明】
【０００９】
【図１】実施の形態１におけるエレベーターの改修支援装置が適用されるエレベーターの構成図である。
【図２】実施の形態１におけるエレベーターの改修支援装置が適用されるエレベーターの改修時の構成図である。
【図３】実施の形態１におけるエレベーターの改修支援装置が適用されるエレベーターの改修時の構成図である。
【図４】実施の形態１におけるエレベーターの改修支援装置が適用されるエレベーターの改修時の構成図である。
【図５】実施の形態１におけるエレベーターの改修支援装置の天井機器用変換器の外観図である。
【図６】実施の形態１におけるエレベーターの改修支援装置のガバナースイッチ用変換器の外観図である。
【図７】実施の形態１におけるエレベーターの改修支援装置の錠スイッチ用変換器の外観図である。
【図８】実施の形態１におけるエレベーターの改修支援装置のかご内作業用電源供給器の外観図である。
【図９】実施の形態１におけるエレベーターの改修支援装置のピット作業用電源供給器の外観図である。
【図１０】実施の形態１におけるエレベーターの改修支援装置が適用されるエレベーターのファンの外観図である。
【図１１】実施の形態１におけるエレベーターの改修支援装置が適用されるエレベーターのファンカバーに覆われたファンの外観図である。
【図１２】実施の形態２におけるエレベーターの改修支援装置が適用されるエレベーターの構成図である。
【図１３】実施の形態２におけるエレベーターの改修支援装置の機械室側電源供給器の外観図である。
【図１４】実施の形態２におけるエレベーターの改修支援装置のかご側電源供給器の外観図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略される。
【００１１】
実施の形態１．
図１は実施の形態１におけるエレベーターの改修支援装置が適用されるエレベーターの構成図である。
【００１２】
図１のエレベーターにおいて、昇降路１は、建築物の各階を貫く。機械室２は、昇降路１の直上に設けられる。複数の乗場３の各々は、建築物の各階に設けられる。複数の乗場３の各々は、昇降路１に対向する。複数の乗場ドア４の各々は、複数の乗場３の出入口の各々に設けられる。
【００１３】
かご５は、昇降路１の内部に設けられる。かごドア６は、かご５の出入口に設けられる。天井機器７は、かご５の天井に設けられる。例えば、天井機器７として、照明７ａが設けられる。例えば、天井機器７として、ファン７ｂが設けられる。例えば、天井機器７として、救出口スイッチ７ｃが設けられる。吊り合いおもり８は、昇降路１の内部に設けられる。
【００１４】
コンセント９は、機械室２の内部に設けられる。巻上機１０は、機械室２の内部に設けられる。巻上機１０は、綱車１１を備える。そらせ車１２は、機械室２の内部に設けられる。主索１３は、綱車１１とそらせ車１２とに巻き掛けられる。主索１３の一側は、かご５を支持する。主索１３の他側は、吊り合いおもりを支持する。
【００１５】
ガバナー１４は、上側滑車１５と下側滑車１６と調速ロープ１７と停止装置１８とを備える。
【００１６】
上側滑車１５は、機械室２の内部に設けられる。下側滑車１６は、昇降路１の底部に設けられる。調速ロープ１７は、上側滑車１５と下側滑車１６に無端状に巻き掛けられる。停止装置１８は、機械室２の内部に設けられる。停止装置１８は、上側滑車１５に隣接する。
【００１７】
複数の錠スイッチ１９の各々は、複数の乗場３の出入口の各々に設けられる。
【００１８】
ピット灯２０は、昇降路１の底部に設けられる。
【００１９】
制御盤２１は、機械室２に設けられる。
【００２０】
ハーネスケーブル２２は、複数の錠スイッチ１９の各々と制御盤２１とを電気的に接続する。ハーネスケーブル２２は、ピット灯２０と制御盤２１とを電気的に接続する。
【００２１】
制御ケーブル２３は、天井機器７と制御盤２１とを電気的に接続する。
【００２２】
次に、図２から図４を用いて、エレベーターの改修方法の概要を説明する。
図２から図４は実施の形態１におけるエレベーターの改修支援装置が適用されるエレベーターの改修時の構成図である。
【００２３】
図２に示されるように、エレベーターの改修の１日目では、昇降路１において、作業者は、図示されない新設のインターホンケーブルを仮に吊るす。作業者は、新設のハーネスケーブル２４を仮に吊るす。作業者は、新設の制御ケーブル２５を仮に吊るす。
【００２４】
かご５において、作業者は、新設の天井機器２６を取り付ける。例えば、新設の天井機器２６として、新設の照明２６ａが設けられる。例えば、新設の天井機器２６として、新設のファン２６ｂが設けられる。例えば、新設の天井機器２６として、新設の救出口スイッチ２６ｃが設けられる。作業者は、既設の制御ケーブル２３と新設の天井機器２６とを天井機器用変換器２７を介して電気的に接続する。
【００２５】
機械室２において、作業者は、既設の制御盤２１と新設のガバナースイッチ２８とをガバナースイッチ用変換器２９を介して電気的に接続する。
【００２６】
１日目の作業の終了後においては、既設の制御盤２１は、既設の巻上機１０と新設の天井機器２６と新設のガバナースイッチ２８とを利用してエレベーターを運行する。
【００２７】
図３に示されるように、エレベーターの改修の２日目では、昇降路１において、作業者は、新設のハーネスケーブル２４を複数の錠スイッチ１９とピット灯２０とに電気的に接続する。
【００２８】
機械室２において、作業者は、既設の制御盤２１と図示されない新設の客先インターホンとを図示されない客先インターホン用変換器を介して電気的に接続する。作業者は、既設の制御盤２１と新設のハーネスケーブル２４とを錠スイッチ用変換器３０を介して電気的に接続する。
【００２９】
２日目の作業の終了後においては、既設の制御盤２１は、既設の巻上機１０と新設の天井機器２６と新設のガバナースイッチ２８と新設の客先インターホンとを利用してエレベーターを運行する。この際、既設の制御盤２１は、複数の錠スイッチ１９から新設のハーネスケーブル２４と錠スイッチ用変換器３０とを介して受信した信号に基づいて乗場ドア４の開閉状態を把握する。
【００３０】
図４に示されるように、エレベーターの改修の３日目では、昇降路１において、作業者は、既設のハーネスケーブル２２と既設の制御ケーブル２３とを撤去する。
【００３１】
かご５において、作業者は、ファンカバー３１で新設のファン２６ｂを覆う。作業者は、ドラム３２を設置する。作業者は、ドラム３２のケーブルと新設の天井機器２６とをかご内作業用電源供給器３３を介して電気的に接続する。
【００３２】
機械室２において、作業者は、機械室２のコンセント９とドラム３２のケーブルとを電気的に接続する。作業者は、機械室２のコンセント９と新設のハーネスケーブル２４とをピット作業用電源供給器３４を介して電気的に接続する。作業者は、図４においては図示されない既設の巻上機１０を撤去する。作業者は、図４においては図示されない既設の制御盤２１を撤去する。作業者は、新設の巻上機３５を設置する。作業者は、新設の制御盤３６を設置する。
【００３３】
この状態においては、新設の天井機器２６は、ドラム３２のケーブルを介して電源の供給を受ける。かご５において、作業者は、照明７ａを点灯させた状態で作業を行う。作業者は、ファン７ｂを動作させた状態で作業を行う。
【００３４】
また、ピット灯２０は、新設のハーネスケーブル２４を介して電源の供給を受ける。昇降路１の底部において、作業者は、ピット灯２０を点灯させた状態で作業を行う。
【００３５】
かご５での作業および昇降路１の底部での作業の終了後、かご５において、作業者は、新設の制御ケーブル２３と新設の天井機器２６とを電気的に接続する。機械室２において、作業者は、新設のハーネスケーブル２４と新設の制御盤３６とを電気的に接続する。
【００３６】
図示されないが、４日目において、作業者は、監視盤の設置、高速調整、検査等を行って作業を終了する。
【００３７】
４日目の作業の終了後においては、新設の制御盤３６は、新設の巻上機３５と新設の天井機器２６と新設のガバナースイッチ２８と新設の客先インターホンを利用してエレベーターを運行する。
【００３８】
次に、図５を用いて、天井機器用変換器２７を説明する。
図５は実施の形態１におけるエレベーターの改修支援装置の天井機器用変換器の外観図である。
【００３９】
図５に示されるように、天井機器用変換器２７は、既設側接続部２７ａと新設側接続部２７ｂと接続中継部２７ｃとを備える。
【００４０】
既設側接続部２７ａは、既設の制御ケーブル２３と電気的に接続し得るように設けられる。例えば、既設側接続部２７ａは、複数のターミナル端子である。当該複数のターミナル端子の各々は、既設のターミナルを介して既設の制御ケーブル２３と電気的に接続し得るように設けられる。
【００４１】
新設側接続部２７ｂは、新設の天井機器２６と電気的に接続し得るように設けられる。例えば、新設側接続部２７ｂは、複数のコネクタである。当該複数のコネクタの各々は、対応した機器のコネクタと電気的に接続し得るように設けられる。
【００４２】
接続中継部２７ｃは、既設側接続部２７ａと新設側接続部２７ｂとを電気的に接続し得るように設けられる。例えば、接続中継部２７ｃは、ケーブルである。
【００４３】
次に、図６を用いて、ガバナースイッチ用変換器２９を説明する。
図６は実施の形態１におけるエレベーターの改修支援装置のガバナースイッチ用変換器の外観図である。
【００４４】
図６に示されるように、ガバナースイッチ用変換器２９は、既設側接続部２９ａと新設側接続部２９ｂと接続中継部２９ｃとを備える。
【００４５】
既設側接続部２９ａは、既設の制御盤２１と電気的に接続し得るように設けられる。例えば、既設側接続部２９ａは、複数のターミナル端子である。当該複数のターミナル端子の各々は、既設の制御盤２１と電気的に接続し得るように設けられる。
【００４６】
新設側接続部２９ｂは、新設のガバナースイッチ２８と電気的に接続し得るように設けられる。例えば、新設側接続部２９ｂは、コネクタである。当該コネクタは、新設のガバナースイッチ２８のコネクタと電気的に接続し得るように設けられる。
【００４７】
接続中継部２９ｃは、既設側接続部２９ａと新設側接続部２９ｂとを電気的に接続し得るように設けられる。例えば、接続中継部２９ｃは、ケーブルである。
【００４８】
次に、図７を用いて、錠スイッチ用変換器３０を説明する。
図７は実施の形態１におけるエレベーターの改修支援装置の錠スイッチ用変換器の外観図である。
【００４９】
図７に示されるように、錠スイッチ用変換器３０は、既設側接続部３０ａと新設側接続部３０ｂと接続中継部３０ｃとを備える。
【００５０】
既設側接続部３０ａは、既設の制御盤２１と電気的に接続し得るように設けられる。例えば、既設側接続部３０ａは、複数のターミナル端子である。当該複数のターミナル端子の各々は、既設の制御盤２１と電気的に接続し得るように設けられる。
【００５１】
新設側接続部３０ｂは、新設のハーネスケーブル２４と電気的に接続し得るように設けられる。例えば、新設側接続部３０ｂは、コネクタである。当該コネクタは、新設のハーネスケーブル２４のコネクタと接続し得るように設けられる。
【００５２】
接続中継部３０ｃは、既設側接続部３０ａと新設側接続部３０ｂとを電気的に接続し得るように設けられる。例えば、接続中継部３０ｃは、ケーブルである。
【００５３】
次に、図８を用いて、かご内作業用電源供給器３３を説明する。
図８は実施の形態１におけるエレベーターの改修支援装置のかご内作業用電源供給器の外観図である。
【００５４】
図８に示されるように、かご内作業用電源供給器３３は、電源側接続部３３ａと機器側接続部３３ｂと接続中継部３３ｃとを備える。
【００５５】
電源側接続部３３ａは、ドラム３２のケーブルと電気的に接続し得るように設けられる。例えば、電源側接続部３３ａは、電源プラグである。当該電源プラグは、ドラム３２のケーブルのコンセントと電気的に接続し得るように設けられる。
【００５６】
機器側接続部３３ｂは、新設の天井機器２６と電気的に接続し得るように設けられる。例えば、機器側接続部３３ｂは、複数のコネクタである。当該複数のコネクタの各々は、対応した機器に接続し得るように設けられる。
【００５７】
接続中継部３３ｃは、電源側接続部３３ａと機器側接続部３３ｂとを電気的に接続し得るように設けられる。例えば、接続中継部３３ｃは、ケーブルである。
【００５８】
次に、図９を用いて、ピット作業用電源供給器３４を説明する。
図９は実施の形態１におけるエレベーターの改修支援装置のピット作業用電源供給器の外観図である。
【００５９】
図９に示されるように、ピット作業用電源供給器３４は、電源側接続部３４ａと機器側接続部３４ｂと接続中継部３４ｃとを備える。
【００６０】
電源側接続部３４ａは、機械室２の電源と電気的に接続し得るように設けられる。例えば、電源側接続部３４ａは、電源プラグである。当該電源プラグは、機械室２のコンセント９と電気的に接続し得るように設けられる。
【００６１】
機器側接続部３４ｂは、新設のハーネスケーブル２４と電気的に接続し得るように設けられる。例えば、機器側接続部３４ｂは、コネクタである。当該コネクタは、新設のハーネスケーブル２４のコネクタと接続し得るように設けられる。
【００６２】
接続中継部３４ｃは、電源側接続部３４ａと機器側接続部３４ｂとを電気的に接続し得るように設けられる。例えば、接続中継部は、ケーブルである。
【００６３】
次に、図１０と図１１とを用いて、ファン７ｂとファンカバー３１とを説明する。
図１０は実施の形態１におけるエレベーターの改修支援装置が適用されるエレベーターのファンの外観図である。図１１は実施の形態１におけるエレベーターの改修支援装置が適用されるエレベーターのファンカバーに覆われたファンの外観図である。
【００６４】
図１０に示されるように、新設のファン７２６ｂは、回転部Ａを備える。回転部Ａは、外部に露出する。図１１に示されるように、例えば、ファンカバー３１は、網状に形成される。ファンカバー３１は、新設のファン７２６ｂの回転部Ａを遮蔽する。
【００６５】
以上で説明した実施の形態１によれば、既設の制御ケーブル２３または既設の制御盤２１と新設の機器とは、変換器を介して一時的に電気的に接続される。このため、エレベーターの改修の途中において、既設の制御ケーブル２３および既設の制御盤２１を利用してエレベーターの一時的な運行を容易に設定することができる。
【００６６】
具体的には、既設の制御ケーブル２３と新設の天井機器２６とは、天井機器用変換器２７を介して一時的に電気的に接続される。このため、新設の天井機器２６を利用してエレベーターを一時的に運行することができる。
【００６７】
また、既設の制御盤２１と新設のガバナースイッチ２８とは、ガバナースイッチ用変換器２９を介して一時的に電気的に接続される。このため、新設のガバナースイッチ２８を利用してエレベーターを一時的に運行することができる。
【００６８】
また、既設の制御盤２１と新設のハーネスケーブル２４とは、錠スイッチ用変換器３０を介して一時的に電気的に接続される。このため、新設のハーネスケーブル２４を利用してエレベーターを一時的に運行することができる。
【００６９】
さらに、機械室２の電源と新設の機器とは、電源供給器を介して一時的に電気的に接続される。このため、既設の制御盤２１の撤去後においても、新設の機器に電源を供給することができる。その結果、エレベーターの改修作業時において、新設の機器を一時的に利用することができる。
【００７０】
具体的には、ドラム３２と新設の天井機器２６とは、かご内作業用電源供給器３３を介して一時的に電気的に接続される。このため、かご５の改修作業時において、新設の照明７ａおよびファン７ｂを一時的に利用することができる。その結果、かご５における作業環境を向上することができる。
【００７１】
また、機械室２の電源と新設のハーネスケーブル２４とは、ピット作業用電源供給器３４を介して一時的に電気的に接続される。このため、昇降路１の底部の改修作業時において、ピット灯２０を一時的に利用することができる。その結果、昇降路１の底部における作業環境を向上することができる。
【００７２】
さらに、新設のファン２６ｂは、ファンカバー３１に遮蔽される。このため、かご５の改修作業時において、作業者の安全を確保することができる。
【００７３】
実施の形態２．
図１２は実施の形態２におけるエレベーターの改修支援装置が適用されるエレベーターの構成図である。なお、実施の形態１と同一または相当部分には、同一符号が付される。当該部分の説明は省略される。
【００７４】
実施の形態２においては、新設の制御盤３６が設置される前に、新設の天井機器２６は、新設の制御ケーブル２５を介して電源の供給を受ける。
【００７５】
具体的には、機械室２において、作業者は、コンセント９と新設の制御ケーブル２５の一側とを機械室側電源供給器３７を介して電気的に接続する。
【００７６】
かご５において、作業者は、新設の制御ケーブル２５の他側と新設の天井機器２６とをかご側電源供給器３８を介して電気的に接続する。
【００７７】
次に、図１３を用いて、機械室側電源供給器３７を説明する。
図１３は実施の形態２におけるエレベーターの改修支援装置の機械室側電源供給器の外観図である。
【００７８】
図１３に示されるように、機械室側電源供給器３７は、電源側接続部３７ａと制御ケーブル側接続部３７ｂと接続中継部３７ｃとを備える。
【００７９】
電源側接続部３７ａは、機械室２の電源と電気的に接続し得るように設けられる。例えば、電源側接続部３７ａは、電源プラグである。当該電源プラグは、機械室２のコンセント９と電気的に接続し得るように設けられる。
【００８０】
制御ケーブル側接続部３７ｂは、新設の制御ケーブル２５の一側と電気的に接続し得るように設けられる。例えば、制御ケーブル側接続部３７ｂは、接続端子である。当該接続端子は、新設の制御ケーブル２５の空き線と接続し得るように設けられる。
【００８１】
接続中継部３７ｃは、電源側接続部３７ａと制御ケーブル側接続部３７ｂとを電気的に接続し得るように設けられる。例えば、接続中継部３７ｃは、ケーブルである。
【００８２】
次に、図１４を用いて、かご側電源供給器３８を説明する。
図１４は実施の形態２におけるエレベーターの改修支援装置のかご側電源供給器の外観図である。
【００８３】
図１４に示されるように、かご側電源供給器３８は、制御ケーブル側接続部３８ａと機器側接続部３８ｂと接続中継部３８ｃとを備える。
【００８４】
制御ケーブル側接続部３８ａは、制御ケーブル２３の他側と電気的に接続し得るように設けられる。例えば、制御ケーブル側接続部３８ａは、電源プラグである。当該電源プラグは、新設の制御ケーブル２５の他側に接続されたコンセントと電気的に接続し得るように設けられる。
【００８５】
機器側接続部３８ｂは、新設の天井機器２６と電気的に接続し得るように設けられる。例えば、機器側接続部３８ｂは、複数のコネクタである。当該複数のコネクタの各々は、対応した機器のコネクタに接続し得るように設けられる。
【００８６】
接続中継部３８ｃは、制御ケーブル側接続部３８ａと機器側接続部３８ｂとを電気的に接続し得るように設けられる。例えば、接続中継部３８ｃは、ケーブルである。
【００８７】
以上で説明した実施の形態２によれば、機械室２の電源と新設の制御ケーブル２５の一側とは、機械室側電源供給器３７を介して一時的に電気的に接続される。また、新設の制御ケーブル２５の他側と新設の天井機器２６とは、かご側電源供給器３８を介して一時的に電気的に接続される。このため、かご５の改修作業時において、ドラム３２を用いずに新設の照明７ａおよびファン７ｂを一時的に利用することができる。その結果、かご５における作業環境を向上することができる。
【００８８】
なお、実施の形態１の変換器および電源供給器と実施の形態２の電源供給器とは、当該エレベーターの改修後において他のエレベーターに利用し得る。このため、エレベーターの改修のためのコストを抑えることができる。
【符号の説明】
【００８９】
１  昇降路、  ２  機械室、  ３  乗場、  ４  乗場ドア、  ５  かご、  ６  かごドア、  ７  天井機器、  ７ａ  照明、  ７ｂ  ファン、  ７ｃ  救出口スイッチ、  ８  吊り合いおもり、  ９  コンセント、  １０  巻上機、  １１  綱車、  １２  そらせ車、  １３  主索、  １４  ガバナー、  １５  上側滑車、  １６  下側滑車、  １７  調速ロープ、  １８  停止装置、  １９  錠スイッチ、  ２０  ピット灯、  ２１  制御盤、  ２２  ハーネスケーブル、  ２３  制御ケーブル、  ２４  ハーネスケーブル、  ２５  制御ケーブル、  ２６  天井機器、  ２６ａ  照明、  ２６ｂ  ファン、  ２６ｃ  救出口スイッチ、  ２７  天井機器用変換器、  ２７ａ  既設側接続部、  ２７ｂ  新設側接続部、  ２７ｃ  接続中継部、  ２８  ガバナースイッチ、  ２９  ガバナースイッチ用変換器、  ２９ａ  既設側接続部、  ２９ｂ  新設側接続部、  ２９ｃ  接続中継部、  ３０  錠スイッチ用変換器、  ３０ａ  既設側接続部、  ３０ｂ  新設側接続部、  ３０ｃ  接続中継部、  ３１  ファンカバー、  ３２  ドラム、  ３３  かご内作業用電源供給器、  ３３ａ  電源側接続部、  ３３ｂ  機器側接続部、  ３３ｃ  接続中継部、  ３４  ピット作業用電源供給器、  ３４ａ  電源側接続部、  ３４ｂ  機器側接続部、  ３４ｃ  接続中継部、  ３５  巻上機、  ３６  制御盤、  ３７  機械室側電源供給器、  ３７ａ  電源側接続部、  ３７ｂ  制御ケーブル側接続部、  ３７ｃ  接続中継部、  ３８  かご側電源供給器、  ３８ａ  制御ケーブル側接続部、  ３８ｂ  機器側接続部、  ３８ｃ  接続中継部
【図１】
2019147642.tif 000003
【図２】
2019147642.tif 000004
【図３】
2019147642.tif 000005
【図４】
2019147642.tif 000006
【図５】
2019147642.tif 000007
【図６】
2019147642.tif 000008
【図７】
2019147642.tif 000009
【図８】
2019147642.tif 000010
【図９】
2019147642.tif 000011
【図１０】
2019147642.tif 000012
【図１１】
2019147642.tif 000013
【図１２】
2019147642.tif 000014
【図１３】
2019147642.tif 000015
【図１４】
2019147642.tif 000016
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
エレベーターにおいて、既設の制御ケーブルまたは既設の制御盤と新設の機器とを電気的に接続する変換器と、
前記エレベーターの機械室の電源と新設の機器とを電気的に接続する電源供給器と、
を備え、
前記電源供給器は、前記エレベーターのかごの天井において、前記エレベーターのかごの天井に設けられており前記機械室の電源と電気的に接続されたドラムと電気的に接続し、前記エレベーターのかごの天井に設けられた新設の天井機器を電気的に接続するエレベーターの改修支援装置。
【請求項２】
前記変換器は、前記エレベーターのかごにおいて前記既設の制御ケーブルと新設の天井機器とを電気的に接続する請求項１に記載のエレベーターの改修支援装置。
【請求項３】
前記変換器は、前記エレベーターの機械室において前記既設の制御盤と新設のガバナースイッチとを電気的に接続する請求項１に記載のエレベーターの改修支援装置。
【請求項４】
前記変換器は、前記エレベーターの機械室において前記既設の制御盤と錠スイッチに接続された新設のハーネスケーブルとを電気的に接続する請求項１に記載のエレベーターの改修支援装置。
【請求項５】
前記エレベーターの改修時において、前記エレベーターのかごの天井に設けられた新設のファンを遮蔽するファンカバー、
を備えた請求項１から請求項４のいずれか１項に記載のエレベーターの改修支援装置。
【請求項６】
エレベーターにおいて、既設の制御ケーブルまたは既設の制御盤と新設の機器とを変換器を介して電気的に接続する新設機器仮設工程と、
前記エレベーターの機械室の電源と新設の機器とを電源供給器を介して電気的に接続する新設機器電源供給工程と、
を備え、
前記新設機器電源供給工程は、
前記エレベーターのかごの天井において、前記エレベーターのかごの天井に設けられており前記機械室の電源と電気的に接続されたドラムと電源供給器とを電気的に接続し、前記エレベーターのかごの天井に設けられた新設の天井機器と前記電源供給器とを電気的に接続する天井機器電源供給工程を含むエレベーターの改修方法。
【請求項７】
前記新設機器仮設工程は、
前記エレベーターのかごにおいて前記既設の制御ケーブルと新設の天井機器とを変換器を介して電気的に接続する天井機器仮設工程、
を含む請求項６に記載のエレベーターの改修方法。
【請求項８】
前記新設機器仮設工程は、
前記エレベーターの機械室において前記既設の制御盤と新設のガバナースイッチとを変換器を介して電気的に接続するガバナースイッチ仮設工程、
を含む請求項６または請求項７に記載のエレベーターの改修方法。
【請求項９】
前記新設機器仮設工程は、
前記エレベーターの機械室において前記既設の制御盤と錠スイッチに接続された新設のハーネスケーブルとを変換器を介して電気的に接続する錠スイッチ仮設工程、
を含む請求項６から請求項８のいずれか１項に記載のエレベーターの改修方法。
【請求項１０】
前記エレベーターの改修時において、前記エレベーターのかごの天井に設けられた新設のファンをファンカバーで遮蔽するファン遮蔽工程、
を備えた請求項６から請求項９のいずれか１項に記載のエレベーターの改修方法。
【手続補正２】
【補正対象書類名】明細書
【補正対象項目名】０００６
【補正方法】変更
【補正の内容】
【０００６】
この発明に係るエレベーターの改修支援装置は、エレベーターにおいて、既設の制御ケーブルまたは既設の制御盤と新設の機器とを電気的に接続する変換器と、前記エレベーターの機械室の電源と新設の機器とを電気的に接続する電源供給器と、を備え、前記電源供給器は、前記エレベーターのかごの天井において、前記エレベーターのかごの天井に設けられており前記機械室の電源と電気的に接続されたドラムと電気的に接続し、前記エレベーターのかごの天井に設けられた新設の天井機器を電気的に接続する。
【手続補正３】
【補正対象書類名】明細書
【補正対象項目名】０００７
【補正方法】変更
【補正の内容】
【０００７】
この発明に係るエレベーターの改修方法は、エレベーターにおいて、既設の制御ケーブルまたは既設の制御盤と新設の機器とを変換器を介して電気的に接続する新設機器仮設工程と、前記エレベーターの機械室の電源と新設の機器とを電源供給器を介して電気的に接続する新設機器電源供給工程と、を備え、前記新設機器電源供給工程は、前記エレベーターのかごの天井において、前記エレベーターのかごの天井に設けられており前記機械室の電源と電気的に接続されたドラムと電源供給器とを電気的に接続し、前記エレベーターのかごの天井に設けられた新設の天井機器と前記電源供給器とを電気的に接続する天井機器電源供給工程を含む。